(57)【要約】【課題】均一かつ高密度なプラズマを発生させ、このプラズマを用いて被処理物Ｗに表面処理を施すことにより、被処理物Ｗに所望の特性を持たせる。【解決手段】被処理物Ｗを収容する処理チャンバ１０と、処理チャンバ１０内にプラズマを発生させるアンテナユニット３０とを具備するプラズマ処理装置１００であって、アンテナユニット３０が、高周波電力が給電される１又は複数の給電端子３１１を備え、所定の長さ有する給電側電極３１と、給電側電極３１に対向して設けられるとともに、接地点４２に接続される１又は複数の接地端子３２１を備え、所定の長さを有する接地側電極３２と、給電側電極と接地側電極との間に架け渡された複数のアンテナ導体３３とを有するようにした。【選択図】図３
2015187951.tif 000002
【特許請求の範囲】
【請求項１】
被処理物を収容する処理チャンバと、高周波電力が印加されて前記処理チャンバ内にプラズマを発生させるアンテナユニットとを具備するプラズマ処理装置であって、
前記アンテナユニットが、
前記高周波電力が給電される１又は複数の給電端子を備え、所定の長さを有する給電側電極と、
前記給電側電極に対向して設けられるとともに、接地点に接続される１又は複数の接地端子を備え、所定の長さを有する接地側電極と、
前記給電側電極と前記接地側電極との間に架け渡された複数のアンテナ導体とを有することを特徴とするプラズマ処理装置。
【請求項２】
前記給電側電極と前記接地側電極とが互いに平行に設けられており、
前記各電極の長さ方向に沿って設けられた前記複数のアンテナ導体のうち、少なくとも両端のアンテナ導体を除く複数のアンテナ導体に均等な高周波電流が流れるように構成されていることを特徴とする請求項１記載のプラズマ処理装置。
【請求項３】
前記給電側電極に設けられた前記給電端子が、互いに隣り合った前記接地端子の二等分線上に位置しており、
前記アンテナ導体が、前記給電端子から互いに隣り合った前記接地端子に均等な高周波電流が流れるように前記給電側電極と前記接地側電極との間に架け渡されていることを特徴とする請求項１又は２記載のプラズマ処理装置。
【請求項４】
前記給電側電極が、当該給電側電極の長さ方向中央に設けられた１つの給電端子を有し、
前記接地側電極が、当該接地側電極の両端に設けられた２つの接地端子を有し、
前記アンテナ導体が、前記１つの給電端子から前記２つの接地端子に均等な高周波電流が流れるように前記給電側電極と前記接地側電極との間に架け渡されていることを特徴とする請求項１乃至３のうち何れか一項に記載のプラズマ処理装置。
【請求項５】
前記アンテナユニットが、前記給電側電極及び前記接地側電極に対して前記アンテナ導体を直交させたラダー形状をなすものであり、
前記アンテナ導体が、前記給電側電極及び前記接地側電極を等分するように架け渡されていることを特徴とする請求項１乃至４のうち何れか一項に記載のプラズマ処理装置。
【請求項６】
前記アンテナユニットを収容するとともに、前記処理チャンバに形成された開口に嵌め込まれた収容体を更に具備し、
前記アンテナユニットが、前記収容体内において、前記開口の内側開口面と平行に設けられていることを特徴とする請求項１乃至５のうち何れか一項に記載のプラズマ処理装置。
【請求項７】
前記収容体が、前記内側開口面と平行な底板を具備し、
前記底板が、前記収容体内から前記処理チャンバ内に向かって形成された複数の凹溝を有し、
前記複数のアンテナ導体が、前記複数の凹溝に収容されていることを特徴とする請求項６記載のプラズマ処理装置。
【請求項８】
前記収容体が、前記内側開口面と平行な平板状をなす誘電体板であって、
前記誘電体板が、前記処理チャンバ内に向かって形成された複数の凹溝を有し、
前記複数のアンテナ導体が、前記複数の凹溝に収容されていることを特徴とする請求項６記載のプラズマ処理装置。
【請求項９】
プラズマ処理装置に用いられ、被処理物が収容される処理チャンバ内にプラズマを発生させるアンテナユニットあって、
高周波電力が給電される１又は複数の給電端子を備え、所定の長さを有する給電側電極と、
前記給電側電極に対向して設けられるとともに、接地点に接続される１又は複数の接地端子を備え、所定の長さを有する接地側電極と、
前記給電側電極と前記接地側電極との間に架け渡された複数のアンテナ導体とを有することを特徴とするアンテナユニット。
【発明の詳細な説明】
【技術分野】
【０００１】
本発明は、プラズマを用いて被処理物の表面に薄膜形成やエッチング等の処理を施すプラズマ処理装置及びそのプラズマ処理装置に用いられるアンテナユニットに関するものである。
【背景技術】
【０００２】
この種のプラズマ処理装置としては、特許文献１に示すように、高周波電力が印加されて真空容器内にプラズマを発生させるアンテナユニットを具備し、この真空容器内の被処理物に表面処理を施すものがある。
【０００３】
より詳細にこのアンテナユニットは、高周波電力が印加される給電端子と、接地点に接続される接地端子と、給電端子及び接地端子を接続するアンテナ導体とを具備し、前記アンテナ導体を例えばＵ字形状に形成したものである。これにより、アンテナ導体における平行部分の間隔に反比例した電磁界強度が発生し、真空容器内に高密度なプラズマを発生させることができる。
【０００４】
しかしながら、上述した構成では、アンテナ導体が平行部分を有するように形成されているので、アンテナ導体の長さが長くなり、高周波電流経路のインピーダンスが大きくなってしまう。これにより、アンテナ導体の両端での電位差が大きくなり、均一なプラズマ密度を得にくいのみならず、給電端子近傍で異常放電が発生するという問題が生じる。
【先行技術文献】
【特許文献】
【０００５】
【特許文献１】特開２０１０−２２５２９６号公報
【発明の概要】
【発明が解決しようとする課題】
【０００６】
そこで本発明は、上記問題点を解決すべくなされたものであって、均一かつ高密度なプラズマを大面積にわたって発生させ、このプラズマを用いて被処理物に表面処理を施すことにより、被処理物に所望の特性を持たせることをその主たる課題とするものである。
【課題を解決するための手段】
【０００７】
すなわち本発明に係るプラズマ処理装置は、被処理物を収容する処理チャンバと、高周波電力が印加されて前記処理チャンバ内にプラズマを発生させるアンテナユニットとを具備するプラズマ処理装置であって、前記アンテナユニットが、前記高周波電力が給電される１又は複数の給電端子を備え、所定の長さを有する給電側電極と、前記給電側電極に対向して設けられるとともに、接地点に接続される１又は複数の接地端子を備え、所定の長さを有する接地側電極と、前記給電側電極と前記接地側電極との間に架け渡された複数のアンテナ導体とを有することを特徴とするものである。
【０００８】
このようなプラズマ処理装置であれば、給電側電極と接地側電極との間に複数のアンテナ導体が架け渡されているので、これらのアンテナ導体に高周波電流を流すことで高密度なプラズマを発生させることができる。そのうえ、各アンテナ導体の長さを短くして両端でのインピーダンス差を小さくすることで、上述した高密度プラズマを広い領域に均一に発生させることができる。これにより、均一かつ高密度なプラズマを用いて被処理物に表面処理を施すことが可能になり、ひいては、被処理物に所望の特性を持たせることができる。
【０００９】
高密度なプラズマを広い領域で均一に発生させる具体的実施態様としては、前記給電側電極と前記接地側電極とが互いに平行に設けられており、前記各電極の長さ方向に沿って設けられた前記複数のアンテナ導体のうち、少なくとも両端のアンテナ導体を除く複数のアンテナ導体に均等な高周波電流が流れるように構成されているものが好ましい。
【００１０】
前記給電側電極に設けられた前記給電端子が、互いに隣り合った前記接地端子の二等分線上に位置しており、前記アンテナ導体が、前記給電端子から互いに隣り合った前記接地端子に均等な高周波電流が流れるように前記給電側電極と前記接地側電極との間に架け渡されているものが好ましい。
これならば、給電端子から互いに隣り合った接地端子までのインピーダンスを等しくすることができ、電極間に架け渡された複数のアンテナ導体に均等な電流を流すことができる。
【００１１】
具体的な実施態様としては、前記給電側電極が、当該給電側電極の長さ方向中央に設けられた１つの給電端子を有し、前記接地側電極が、当該接地側電極の両端に設けられた２つの接地端子を有し、前記アンテナ導体が、前記１つの給電端子から前記２つの接地端子に均等な高周波電流が流れるように前記給電側電極と前記接地側電極との間に架け渡されているものが挙げられる。
【００１２】
前記アンテナユニットが、前記給電側電極及び前記接地側電極に対して前記アンテナ導体を直交させたラダー形状をなすものであり、前記アンテナ導体が、前記給電側電極及び前記接地側電極を等分するように架け渡されているものが好ましい。
これならば、アンテナユニットがラダー形状をなし、アンテナ導体が給電側電極及び接地側電極を等分するので、各アンテナ導体のインピーダンスにはほとんど差が生じず、各アンテナ導体に流れる電流をより均等にすることで、発生するプラズマをより均一なものにすることができる。
【００１３】
前記アンテナユニットを収容するとともに、前記処理チャンバに形成された開口に嵌め込まれた収容体を更に具備し、前記アンテナユニットが、前記収容体内において、前記開口の内側開口面と平行に設けられているものが好ましい。
これならば、アンテナユニットを収容体とともに着脱することができ、メンテナンス性を向上させることができる。
さらに、アンテナユニットが、内側開口面と平行に設けられているので、この開口を介して処理チャンバ内に安定的にプラズマを発生させることができる。
【００１４】
前記収容体が、前記内側開口面と平行な底板を具備し、前記底板が、前記収容体内から前記処理チャンバ内に向かって形成された複数の凹溝を有し、前記複数のアンテナ導体が、前記複数の凹溝に収容されているものが好ましい。
これならば、アンテナ導体を処理チャンバ内により近づけることができ、高周波電力を効率よく処理チャンバ内に誘導することが可能になり、高密度のプラズマを発生することができる。
【００１５】
前記収容体が、前記内側開口面と平行な平板状をなす誘電体板であって、前記誘電体板が、前記処理チャンバ内に向かって形成された複数の凹溝を有し、前記複数のアンテナ導体が、前記複数の凹溝に収容されているものが好ましい。
これならば、上述したように、アンテナ導体を処理チャンバ内により近づけることで、高密度のプラズマを発生することができるうえ、一枚の平板状をなす誘電体板を加工して収容体を製作することができ、製造コストを低減することができる。
【００１６】
また、本発明に係るアンテナユニットは、プラズマ処理装置に用いられ、被処理物が収容される処理チャンバ内にプラズマを発生させるものであって、高周波電力が給電される１又は複数の給電端子を備え、所定の長さを有する給電側電極と、前記給電側電極に対向して設けられるとともに、接地点に接続される１又は複数の接地端子を備え、所定の長さを有する接地側電極と、前記給電側電極と前記接地側電極との間に架け渡された複数のアンテナ導体とを有することを特徴とするものである。
このように構成されたアンテナユニットによれば、上述した作用効果を発揮することができる。
【発明の効果】
【００１７】
このように構成した本発明によれば、均一かつ高密度なプラズマを大面積にわたって発生させることができ、ひいては、このプラズマによる表面処理を施すことで被処理物に所望の特性を持たせることができる。
【図面の簡単な説明】
【００１８】
【図１】本実施形態のプラズマ処理装置の構成を模式的に示す図。
【図２】同実施形態の収容体を示す拡大図。
【図３】同実施形態のアンテナユニットを示す模式図。
【図４】変形実施形態のアンテナユニットを示す模式図。
【図５】変形実施形態の収容体を示す拡大図。
【発明を実施するための形態】
【００１９】
以下に本発明に係るプラズマ処理装置１００の一実施形態について図面を参照して説明する。
【００２０】
本実施形態に係るプラズマ処理装置１００は、アンテナユニット３０に高周波電流を流すことで発生する電磁界を用いて放電プラズマを発生させる、いわゆる誘導結合型プラズマ（ＩＣＰ：Ｉｎｄｕｃｔｉｖｅｌｙ  Ｃｏｕｐｌｅｄ  Ｐｌａｓｍａ）方式のものである。
【００２１】
具体的にこのプラズマ処理装置１００は、図１に示すように、例えば燃料電池のセパレータに用いられる基板等の被処理物Ｗを収容する処理チャンバ１０と、収容体２０に収容されて、処理チャンバ１０内にプラズマを発生させるアンテナユニット３０とを具備するものである。
【００２２】
処理チャンバ１０は、例えばアルゴンと水素との混合ガスが導入されるとともに、内部空間Ｓが密閉されて所定の真空度に保たれている。
【００２３】
具体的にこの処理チャンバ１０は、図１に示すように、上壁部１１に上方から視て矩形状の開口１１１が形成されており、この開口１１１に後述する収容体２０をがた無く嵌め込むことにより内部空間Ｓが密閉されるように構成されている。
【００２４】
収容体２０は、概略直方体形状をなす筐体であり、内部にアンテナユニット３０を収容するとともに、上述した処理チャンバ１０の開口１１１にがた無く嵌め込まれている。本実施形態では、この収容体２０は、例えばシール部材４を介して図示しない螺子等により前記開口１１１に着脱可能に設けられている。
【００２５】
より詳細にこの収容体２０は、図１及び図２に示すように、上部に開口２１が形成されるとともに、この開口２１を介してアンテナユニット３０を出し入れできるように構成されており、本実施形態では、この開口２１を塞ぐ蓋体２２が収容体２０の上部に例えば図示しない螺子等により着脱可能に設けられている。
【００２６】
前記開口２１と対面した下部には底板として誘電体窓２３が設けられており、この誘電体窓２３は、所定の真空度に保たれている処理チャンバ１０の内部空間Ｓと大気圧に保たれている収容体２０内とを隔てるものであり、所定の厚み、つまり、所定の機械強度を有している。
【００２７】
より詳細にこの誘電体窓２３は、特に図２に示すように、その厚み方向に向かって、つまり、収容体２０内から処理チャンバ１０の内部空間Ｓに向かって形成された複数の凹溝２３１を有しており、本実施形態では、これらの凹溝２３１は所定の方向に沿って互いに平行に設けられている。この誘電体窓２３は、その内面２３２に互いに平行に形成された複数の凹溝２３１が形成されたものである。
これら複数の凹溝２３１は、後述するアンテナ導体３３が収容されるものであり、本実施形態では、各凹溝２３１の深さ寸法は、大気圧に耐え得る厚さを必要とし、誘電体窓２３の厚み寸法の３分の２となるように形成されている。
なお、各凹溝２３１の深さ寸法は、大気圧に耐える強度の厚さを残せばよく特定されるものではない。
【００２８】
誘電体窓２３の外面２３３、すなわち前記内面２３２の裏面は、処理チャンバ１０の開口１１１の内側開口面と平行であり、処理チャンバ１０の上壁部１１の内側面１１２と同一平面状に設けられている。これにより、収容体２０は、処理チャンバ１０における上壁部１１の内側面１１２に対して段差なく嵌め込まれていることになる。
なお、収容体２０は、必ずしも処理チャンバ１０における上壁部１１の内側面１１２に対して段差なく嵌め込まれている必要はなく、収容体２０を内部空間Ｓに突出して設ける方が高周波電力の利用効率は高くなる。
【００２９】
本実施形態では、誘電体窓２３の外面２３３に、処理チャンバ１０で生じるダスト等の副生物により誘電体窓２３に汚れが付着することを防ぐ汚れ防止板２４が設けられており、本実施形態の汚れ防止板２４は、誘電体窓２３の外面２３３に例えば螺子によって固定された石英板である。
なお、上述したように、誘電体窓２３の外面２３３を処理チャンバ１０の上壁部１１の内側面１１２と略面一に形成している場合は、汚れ防止板２４は必ずしも設ける必要はない。
【００３０】
上述した収容体２０は、本実施形態では、金属酸化物、窒化物、炭化物、又はフッ化物等の誘電体製のものであり、より具体的には石英、アルミナ、ジルコニア、イットリア、窒化珪素又は炭化珪素等を材質とするものである。
【００３１】
なお、本実施形態では、収容体２０の内部に冷媒を循環させる図示しない冷却手段が設けられており、冷媒としてはアルゴンガスや窒素ガス等の不活性ガスが用いられている。
【００３２】
そして、上述した収容体２０に収容されるアンテナユニット３０は、図３に示すように、上方から視てラダー形状をなすものであり、高周波電源４１に接続されて高周波電力が給電される給電端子３１１を有する給電側電極３１と、接地点４２に接続される接地端子３２１を有する接地側電極３２と、給電側電極３１と接地側電極３２との間に架け渡された複数のアンテナ導体３３とを具備するものである。
【００３３】
より詳細にこのアンテナユニット３０は、給電端子３１１と接地端子３２１との間に形成された複数の電流経路に均等な高周波電流が流れるように、つまり、これら複数の電流経路のインピーダンスが互いに等しくなるように構成されており、本実施形態では、各電流経路の長さが互いに等しい長さになるように構成されている。
【００３４】
以下、各端子３１１、３２１や各アンテナ導体３３の配置等、アンテナユニット３０の具体的な構成について図３を参照して説明する。
【００３５】
給電側電極３１は、所定の長さを有し、長さ方向に延伸する帯状の導体であり、その長さ方向に沿った所定の位置に給電端子３１１が配置されたものである。
より具体的には、本実施形態の給電側電極３１は、図３に示すように、長さ６００ｍｍの銅板であり、その長さ方向における中央に１つの給電端子３１１が配置されている。
なお、本実施形態では、この給電端子３１１は、後述する接地側電極３２における長さ方向に沿って互いに隣り合う接地端子３２１の二等分線Ｌ上に配置されている。
【００３６】
接地側電極３２は、前記給電側電極３１に対向するとともに当該給電側電極３１と平行に設けられており、所定の長さを有し、長さ方向に延伸する帯状の導体であり、その長さ方向に沿った所定の位置に接地端子３２１が配置されたものである。
より具体的にこの給電側電極３１は、図３に示すように、給電側電極３１と等しい長さ（６００ｍｍ）の銅板であり、その長さ方向において中央から線対称な位置、つまり、中央から互いに等距離な位置に複数の接地端子３２１が配置されている。
より詳細に本実施形態の接地側電極３２は、その長さ方向における両端にそれぞれ１つずつ、合計２つの接地端子３２１が配置されている。
【００３７】
アンテナ導体３３は、上述したように、誘電体窓２３に形成された凹溝２３１に収容されており、前記給電端子３１１から前記接地端子３２１へ高周波電流が流れるように給電側電極３１と接地側電極３２との間に架け渡されたものである。本実施形態では、給電側電極３１及び接地側電極３２の長さ方向に沿って複数のアンテナ導体３３が設けられている。
【００３８】
より詳細には、図３に示すように、複数のアンテナ導体３３が、給電側電極３１及び接地側電極３２の長さ方向に沿って等間隔に配置されており、各アンテナ導体３３は互いに同一な形状をなしている。これにより、少なくとも両端に位置するアンテナ導体３３を除く各アンテナ導体３３に略均等な高周波電流が流れることになる。
【００３９】
具体的に各アンテナ導体３３は、給電側電極３１及び接地側電極３２よりも細い帯状をなすものであり、本実施形態では、長さ２００ｍｍ、幅２０ｍｍ、厚さ２ｍｍの銅板である。
なお、本実施形態では、アンテナ導体３３の長さ方向と給電側電極３１及び接地側電極３２の長さ方向とは直交している。つまり、本実施形態の各アンテナ導体３３は、給電側電極３１及び接地側電極３２に対して直交して延伸するように設けられている。
【００４０】
本実施形態では、図３に示すように、各電極３１、３２を４等分するように５本のアンテナ導体３３が等間隔に設けられおり、この配置により、前記給電端子３１１は、真ん中のアンテナ導体３３と給電側電極３１との接続部に位置し、前記接地端子３２１は、両端のアンテナ導体３３と接地側電極３２との接続部に位置することになる。
【００４１】
上述の構成により、給電側電極３１と接地側電極３２と互いに隣り合うアンテナ導体３３とによって囲まれた領域Ｓ１は、いずれも同一形状（本実施形態では長方形状）に形成されている。本実施形態では、これらの領域Ｓ１が誘電体窓２３の外面２３３と平行になるように、つまり、アンテナユニット３０が誘電体窓２３と平行になるように、当該アンテナユニット３０を収容体２０に収容させている。
【００４２】
このように構成された本実施形態に係るプラズマ処理装置１００によれば、給電側電極３１と接地側電極３２との間に複数のアンテナ導体３３が架け渡されているので、これらのアンテナ導体３３に高周波電流を流すことで高密度なプラズマを発生させることができる。
そのうえ、各アンテナ導体３３に均等な高周波電流を流しているので、領域Ｓ１と平行な平面において、上述した高密度なプラズマを均一に発生させることができ、ひいては、このプラズマを用いた表面処理により被処理物Ｗに所望の特性を持たせることができる。
【００４３】
また、アンテナユニット３０が誘電体窓２３と平行に設けられているので、この誘電体窓２３を介してプラズマを処理チャンバ１０内に安定的に発生させることができる。
【００４４】
さらに、複数のアンテナ導体３３が誘電体窓２３に形成された凹溝２３１に収容されているので、アンテナ導体３３を処理チャンバ１０の内部空間Ｓに近接させることができ、高周波電力を効率よく処理チャンバ１０内に誘導することが可能になり、高密度のプラズマを発生させることができる。
【００４５】
加えて、給電側電極３１と接地側電極３２とが互いに平行に設けられるとともに、アンテナ導体３３がこれらの電極３１、３２と直交して設けられ、アンテナユニット３０がラダー形状をなすので、高密度なプラズマを広い領域に亘って均一に発生させることができる。云うまでもなく、前記給電側電極３１及び前記接地側電極３２にも高周波電流が流れるので、アンテナ導体としてプラズマ生成に寄与する。
【００４６】
また、収容体２０の上部に蓋体２２が設けられているので、蓋体２２を取り外すことにより収容されているアンテナユニット３０の状態を確認することができ、この収容体２０が処理チャンバ１０に着脱可能に設けられているので、アンテナユニット３０に不具合が生じた場合には、収容体２０ごとアンテナユニット３０を取り替えることができ、また、汚れ防止板２４のメンテナンスが容易になる。
【００４７】
さらに、誘電体窓２３の外面２３３が処理チャンバ１０の上壁部１１の内側面１１２と同一平面状に配置されており、誘電体窓２３と処理チャンバ１０の内側面１１２との間に段部が形成されない構成なので、処理チャンバ１０内に生じるダスト等の副生物が処理チャンバ１０の内側面１１２に付着しても、この副生物をプラズマ洗浄により容易に除去することができる。
【００４８】
加えて、アンテナユニット３０は高周波電流が流れることによりその温度が非常に高くなり、収容体２０における誘導体窓の内側は高密度のプラズマに晒されて数百度に加熱されるところ、冷却手段が収容体２０内に冷媒を循環させているので、上述したアンテナユニット３０及び収容体２０の誘電体窓２３を確実に冷却することができる。
【００４９】
また、プラズマ処理装置１００が、誘導結合型プラズマ方式を用いているので、容量結合型プラズマ（ＣＣＰ：Ｃａｐａｃｉｔｉｖｅ  Ｃｏｕｐｌｅｄ  Ｐｌａｓｍａ）方式に比べて、低ガス圧下においても高密度なプラズマを発生させることができ、電子温度が低いので、イオンエネルギーの小さいプラズマを生成することができる。
【００５０】
なお、本発明は前記実施形態に限られるものではない。
【００５１】
例えば、アンテナユニット３０の構成については、図４の（ｂ）〜（ｄ）に示すようなものであっても良い。なお、図４の（ａ）は、前記実施形態のアンテナユニット３０を示す概略図であり、（ａ）〜（ｄ）において前記実施形態と対応する部材には同じ符号を付している。
詳述すると、前記実施形態では、（ａ）に示すように、アンテナ導体３３が５本設けられており、これらのアンテナ導体３３が給電側電極３１及び接地側電極３２を４等分するように配置されていたが、例えば（ｂ）に示すように、４本のアンテナ導体３３が各電極を３等分するように配置されても良いし、（ｄ）に示すように、さらに多数のアンテナ導体３３を設けても良い。アンテナ導体３３の数、長さ及びアンテナ導体３３同士の相互間隔は、アンテナユニット３０の設計要因であってプラズマ密度、均一性を考慮して任意に選択することができる。
また、前記実施形態では、給電端子３１１が１つであったが、（ｃ）及び（ｄ）に示すように、複数の給電端子３１１を設けても良い。
さらに、前記実施形態では、接地端子３２１が２つであったが、（ｃ）及び（ｄ）に示すように、３つの接地端子３２１を設けても良いし、さらに多数の接地端子３２１を設けても良い。加えて、アンテナ導体３３に流れる電流が略均一になる構成であれば、接地端子３２１を１つにしても良い。
【００５２】
また、前記実施形態では、収容体が概略直方体形状をなす筐体であったが、必ずしも匡体構造である必要はなく、例えば図５に示すように、収容体２０ｘは、処理チャンバ１０の開口１１１に設けられた概略平板状をなす誘電体板２３ｘから構成されるものであってもよい。
具体的にこの誘電体板２３ｘは、例えばシール部材４を介して図示しない螺子等により前記開口１１１内に形成された段部１１２ｘに着脱可能に設けられている。より詳細には、この誘電体板２３ｘは、処理チャンバ１０内に向かって形成された複数の凹溝２３１ｘを有し、複数のアンテナ導体３３が、前記複数の凹溝２３１ｘに収容されている構成である。
このように構成することにより、収容体２０ｘは、平板状をなす一枚の誘電体を加工すればよく、前記実施形態の概略直方体形状をなす筐体に比べて遥かに安価に製作することができる。
【００５３】
また、前記実施形態では、給電側電極と接地側電極とが互いに帯状をなしかつ等しい長さを有するものであったが、これらの電極の形状は棒状や線状をなすものであっても良いし、長さは必ずしも等しくする必要はない。さらに、前記実施形態のように、これらの電極は、必ずしも互いに平行に設けられている必要はなく、例えば互いに対向して、反対向きに湾曲した曲線状をなすものであっても良い。
【００５４】
さらに、前記実施形態では、複数のアンテナ導体は、いずれも同じ形状をなすものであったが、例えば互いに幅寸法が異なるアンテナ導体を用いても良い。
また、アンテナ導体の形状に関しても、上述した給電側電極及び接地側電極と同様、棒状、線状、湾曲形状等をなすものであっても良い。
【００５５】
加えて、前記実施形態では、処理チャンバに１つのアンテナユニットが設けられたプラズマ処理装置について説明したが、処理チャンバに複数のアンテナユニットを一列又は縦横に並べ設けた構成であっても良い。
これにより、アンテナユニットを標準化して使用することができるうえ、複数のアンテナユニットにより均一かつ高密度なプラズマをより大面積にわたって発生させることができる。そのうえ、大きなアンテナユニットを用いてプラズマを発生させる場合に比べて、耐圧構造や電流制御等の問題が生じにくい。
【００５６】
また、前記実施形態では平板状の蓋体で処理チャンバの開口を塞ぐ構成であったが、この開口にはアンテナユニットを収容する収容体の他に、導線等の種々の部品が配置されるところ、この開口を内部空間が形成された筐体で塞ぐように構成しても良い。これにより、上述した種々の部品を配置する空間を広くすることができる。
さらに、前記実施形態の蓋体をメッシュ状のものにしても良い。これにより、例えばファンからこの蓋体に向けて送風することで、アンテナユニット等の冷却効果を得ることができる。
【００５７】
接地端子は、前記実施形態では直接接地点に接続されるように構成されていたが、例えばコンデンサを介して接地点に接続されるように構成されていても良い。
【００５８】
さらに、前記実施形態では冷媒として不活性ガスを用いていたが、空気や絶縁油等を用いても良い。
【００５９】
その他、本発明は前記実施形態に限られず、その趣旨を逸脱しない範囲で種々の変形が可能であるのは言うまでもない。
【符号の説明】
【００６０】
１００・・・プラズマ処理装置
Ｗ    ・・・被処理物
１０  ・・・処理チャンバ
２０  ・・・収容体
２３  ・・・誘電体窓
２３１・・・凹溝
３０  ・・・アンテナユニット
３１  ・・・給電側電極
３１１・・・給電端子
３２  ・・・接地側電極
３２１・・・接地端子
３３  ・・・アンテナ導体
【図１】
2015187951.tif 000003
【図２】
2015187951.tif 000004
【図３】
2015187951.tif 000005
【図４】
2015187951.tif 000006
【図５】
2015187951.tif 000007